(57)【特許請求の範囲】
【請求項１】
プロセッサと、メモリとを備えるコンピュータにより実行される方法であって、
求人企業が希望する人材に関する求人情報を掲載する採用チャンネルを生成するステップと、
前記採用チャンネルへアクセスするためのアクセス情報を、当該アクセス情報を提示すべき少なくとも１つの主体に、当該主体と対応付けて発行するステップと、
前記主体と対応付けられた前記アクセス情報を介して、前記採用チャンネルにアクセスするアクセス要求を求職者から受け付けて、前記採用チャンネルを前記求職者と接続するステップと、
前記採用チャンネルを介し、前記求職者からの応募を受け付けるステップと、
前記求職者が前記求人企業に採用された場合、前記主体に対して報酬を付与するステップと、を実行し、
前記主体は、サービスを提供する店舗又は個人であり、
前記求職者は、客として訪れる来客に含まれ、
前記来客の個人情報を取得するステップを実行し、
前記アクセス情報を発行するステップにおいて、前記求人情報及び前記来客の個人情報に基づき、前記アクセス情報の提示対象となる来客を特定し、当該来客が訪ねる店舗又は個人に、前記アクセス情報を発行する方法。
【請求項２】
前記個人情報を取得するステップにおいて、事前に登録された前記来客の情報に基づき、前記個人情報を取得する、請求項１に記載の方法。
【請求項３】
前記個人情報を取得するステップにおいて、前記来客に配布したアンケートに基づき、前記個人情報を取得する、請求項１又は２に記載の方法。
【請求項４】
プロセッサと、メモリとを備えるコンピュータにより実行される方法であって、
求人企業が希望する人材に関する求人情報を掲載する採用チャンネルを生成するステップと、
前記採用チャンネルへアクセスするためのアクセス情報を、当該アクセス情報を提示すべき少なくとも１つの主体に、当該主体と対応付けて発行するステップと、
前記主体と対応付けられた前記アクセス情報を介して、前記採用チャンネルにアクセスするアクセス要求を求職者から受け付けて、前記採用チャンネルを前記求職者と接続するステップと、
前記採用チャンネルを介し、前記求職者からの応募を受け付けるステップと、
前記求職者が前記求人企業に採用された場合、前記主体に対して報酬を付与するステップと、を実行し、
前記主体は、サービスを提供する店舗又は個人であり、
前記求職者は、客として訪れる来客に含まれ、
前記求人企業に応募した求職者の情報に基づき、前記アクセス情報の提示対象となる来客を特定し、前記主体に通知するステップを実行する方法。
【請求項５】
プロセッサと、メモリとを備えるコンピュータにより実行される方法であって、
求人企業が希望する人材に関する求人情報を掲載する採用チャンネルを生成するステップと、
前記採用チャンネルへアクセスするためのアクセス情報を、当該アクセス情報を提示すべき少なくとも１つの主体に、当該主体と対応付けて発行するステップと、
前記主体と対応付けられた前記アクセス情報を介して、前記採用チャンネルにアクセスするアクセス要求を求職者から受け付けて、前記採用チャンネルを前記求職者と接続するステップと、
前記採用チャンネルを介し、前記求職者からの応募を受け付けるステップと、
前記求職者が前記求人企業に採用された場合、前記主体に対して報酬を付与するステップと、
前記主体と対応付けられたアクセス情報の利用実績に関する情報を取得するステップと、を実行し、
前記アクセス情報を発行するステップにおいて、前記利用実績に関する情報に基づき、前記アクセス情報の発行先となる主体を特定する方法。
【請求項６】
前記利用実績は、前記主体と対応付けられたアクセス情報を介して、前記採用チャンネルにアクセスしたアクセス回数、前記求人企業に応募した応募人数、又は前記求人企業に採用された採用人数の少なくとも１つに関する情報を含む、請求項５に記載の方法。
【請求項７】
プロセッサと、メモリとを備えるコンピュータにより実行される方法であって、
求人企業が希望する人材に関する求人情報を掲載する採用チャンネルを生成するステップと、
前記採用チャンネルへアクセスするためのアクセス情報を、当該アクセス情報を提示すべき少なくとも１つの主体に、当該主体と対応付けて発行するステップと、
前記主体と対応付けられた前記アクセス情報を介して、前記採用チャンネルにアクセスするアクセス要求を求職者から受け付けて、前記採用チャンネルを前記求職者と接続するステップと、
前記採用チャンネルを介し、前記求職者からの応募を受け付けるステップと、
前記求職者が前記求人企業に採用された場合、前記主体に対して報酬を付与するステップと、を実行し、
前記アクセス情報を発行するステップにおいて、前記求人情報に基づいて前記希望する人材が訪れる可能性が高い地域を推定し、当該地域に関する情報及び前記主体の位置情報に基づき、前記アクセス情報の発行先となる主体を特定する方法。
【請求項８】
前記希望する人材が訪れる可能性が高い地域を、前記希望する人材との関連度が高い企業、研究所又は教育機関の位置情報に基づき推定する、請求項７に記載の方法。
【請求項９】
前記企業、研究所又は教育機関と前記主体との位置関係に基づき、前記アクセス情報の発行先となる主体を特定する、請求項８に記載の方法。
【請求項１０】
複数の求人企業から、前記求人企業が希望する人材に関する求人情報を受け付けるステップを実行し、
採用チャンネルを生成するステップにおいて、受け付けた前記求人情報に基づき、各求人企業の採用チャンネルを生成する、請求項１から９のいずれかに記載の方法。
【請求項１１】
前記採用チャンネルは、前記求人企業と前記求職者とが直接に対話可能なコミュニケーション手段を含む、請求項１から１０のいずれかに記載の方法。
【請求項１２】
前記アクセス情報を発行するステップにおいて、前記求人情報及び前記主体の属性情報に基づき、前記アクセス情報の発行先となる主体を特定する、請求項１から１１のいずれかに記載の方法。
【請求項１３】
前記アクセス情報を発行するステップにおいて、前記求人情報及び前記主体の位置情報に基づき、前記アクセス情報の発行先となる主体を特定する、請求項１から１２のいずれかに記載の方法。
【請求項１４】
前記求職者が前記求人企業に採用された場合、当該求職者に有利な特典を付与するステップを実行する、請求項１から１３のいずれかに記載の方法。
【請求項１５】
制御部と、記憶部とを備える情報処理装置であって、
求人企業が希望する人材に関する求人情報を掲載する採用チャンネルを生成するステップと、
前記採用チャンネルへアクセスするためのアクセス情報を、当該アクセス情報を提示すべき少なくとも１つの主体に、当該主体と対応付けて発行するステップと、
前記主体と対応付けられた前記アクセス情報を介して、前記採用チャンネルにアクセスするアクセス要求を求職者から受け付けて、前記採用チャンネルを前記求職者と接続するステップと、
前記採用チャンネルを介し、前記求職者からの応募を受け付けるステップと、
前記求職者が前記求人企業に採用された場合、前記主体に対して報酬を付与するステップと、を実行し、
前記主体は、サービスを提供する店舗又は個人であり、
前記求職者は、客として訪れる来客に含まれ、
前記来客の個人情報を取得するステップを実行し、
前記アクセス情報を発行するステップにおいて、前記求人情報及び前記来客の個人情報に基づき、前記アクセス情報の提示対象となる来客を特定し、当該来客が訪ねる店舗又は個人に、前記アクセス情報を発行する情報処理装置。
【請求項１６】
一つまたは複数のコンピュータによって構成されるシステムであって、
求人企業が希望する人材に関する求人情報を掲載する採用チャンネルを生成するステップと、
前記採用チャンネルへアクセスするためのアクセス情報を、当該アクセス情報を提示すべき少なくとも１つの主体に、当該主体と対応付けて発行するステップと、
前記主体と対応付けられた前記アクセス情報を介して、前記採用チャンネルにアクセスするアクセス要求を求職者から受け付けて、前記採用チャンネルを前記求職者と接続するステップと、
前記採用チャンネルを介し、前記求職者からの応募を受け付けるステップと、
前記求職者が前記求人企業に採用された場合、前記主体に対して報酬を付与するステップと、を実行し、
前記主体は、サービスを提供する店舗又は個人であり、
前記求職者は、客として訪れる来客に含まれ、
前記来客の個人情報を取得するステップを実行し、
前記アクセス情報を発行するステップにおいて、前記求人情報及び前記来客の個人情報に基づき、前記アクセス情報の提示対象となる来客を特定し、当該来客が訪ねる店舗又は個人に、前記アクセス情報を発行するシステム。
【請求項１７】
制御部と、記憶部とを備える情報処理装置であって、
求人企業が希望する人材に関する求人情報を掲載する採用チャンネルを生成するステップと、
前記採用チャンネルへアクセスするためのアクセス情報を、当該アクセス情報を提示すべき少なくとも１つの主体に、当該主体と対応付けて発行するステップと、
前記主体と対応付けられた前記アクセス情報を介して、前記採用チャンネルにアクセスするアクセス要求を求職者から受け付けて、前記採用チャンネルを前記求職者と接続するステップと、
前記採用チャンネルを介し、前記求職者からの応募を受け付けるステップと、
前記求職者が前記求人企業に採用された場合、前記主体に対して報酬を付与するステップと、を実行し、
前記主体は、サービスを提供する店舗又は個人であり、
前記求職者は、客として訪れる来客に含まれ、
前記求人企業に応募した求職者の情報に基づき、前記アクセス情報の提示対象となる来客を特定し、前記主体に通知するステップを実行する情報処理装置。
【請求項１８】
一つまたは複数のコンピュータによって構成されるシステムであって、
求人企業が希望する人材に関する求人情報を掲載する採用チャンネルを生成するステップと、
前記採用チャンネルへアクセスするためのアクセス情報を、当該アクセス情報を提示すべき少なくとも１つの主体に、当該主体と対応付けて発行するステップと、
前記主体と対応付けられた前記アクセス情報を介して、前記採用チャンネルにアクセスするアクセス要求を求職者から受け付けて、前記採用チャンネルを前記求職者と接続するステップと、
前記採用チャンネルを介し、前記求職者からの応募を受け付けるステップと、
前記求職者が前記求人企業に採用された場合、前記主体に対して報酬を付与するステップと、を実行し、
前記主体は、サービスを提供する店舗又は個人であり、
前記求職者は、客として訪れる来客に含まれ、
前記求人企業に応募した求職者の情報に基づき、前記アクセス情報の提示対象となる来客を特定し、前記主体に通知するステップを実行するシステム。
【請求項１９】
制御部と、記憶部とを備える情報処理装置であって、
求人企業が希望する人材に関する求人情報を掲載する採用チャンネルを生成するステップと、
前記採用チャンネルへアクセスするためのアクセス情報を、当該アクセス情報を提示すべき少なくとも１つの主体に、当該主体と対応付けて発行するステップと、
前記主体と対応付けられた前記アクセス情報を介して、前記採用チャンネルにアクセスするアクセス要求を求職者から受け付けて、前記採用チャンネルを前記求職者と接続するステップと、
前記採用チャンネルを介し、前記求職者からの応募を受け付けるステップと、
前記求職者が前記求人企業に採用された場合、前記主体に対して報酬を付与するステップと、
前記主体と対応付けられたアクセス情報の利用実績に関する情報を取得するステップと、を実行し、
前記アクセス情報を発行するステップにおいて、前記利用実績に関する情報に基づき、前記アクセス情報の発行先となる主体を特定する情報処理装置。
【請求項２０】
一つまたは複数のコンピュータによって構成されるシステムであって、
求人企業が希望する人材に関する求人情報を掲載する採用チャンネルを生成するステップと、
前記採用チャンネルへアクセスするためのアクセス情報を、当該アクセス情報を提示すべき少なくとも１つの主体に、当該主体と対応付けて発行するステップと、
前記主体と対応付けられた前記アクセス情報を介して、前記採用チャンネルにアクセスするアクセス要求を求職者から受け付けて、前記採用チャンネルを前記求職者と接続するステップと、
前記採用チャンネルを介し、前記求職者からの応募を受け付けるステップと、
前記求職者が前記求人企業に採用された場合、前記主体に対して報酬を付与するステップと、
前記主体と対応付けられたアクセス情報の利用実績に関する情報を取得するステップと、を実行し、
前記アクセス情報を発行するステップにおいて、前記利用実績に関する情報に基づき、前記アクセス情報の発行先となる主体を特定するシステム。
【請求項２１】
制御部と、記憶部とを備える情報処理装置であって、
求人企業が希望する人材に関する求人情報を掲載する採用チャンネルを生成するステップと、
前記採用チャンネルへアクセスするためのアクセス情報を、当該アクセス情報を提示すべき少なくとも１つの主体に、当該主体と対応付けて発行するステップと、
前記主体と対応付けられた前記アクセス情報を介して、前記採用チャンネルにアクセスするアクセス要求を求職者から受け付けて、前記採用チャンネルを前記求職者と接続するステップと、
前記採用チャンネルを介し、前記求職者からの応募を受け付けるステップと、
前記求職者が前記求人企業に採用された場合、前記主体に対して報酬を付与するステップと、を実行し、
前記アクセス情報を発行するステップにおいて、前記求人情報に基づいて前記希望する人材が訪れる可能性が高い地域を推定し、当該地域に関する情報及び前記主体の位置情報に基づき、前記アクセス情報の発行先となる主体を特定する情報処理装置。
【請求項２２】
一つまたは複数のコンピュータによって構成されるシステムであって、
求人企業が希望する人材に関する求人情報を掲載する採用チャンネルを生成するステップと、
前記採用チャンネルへアクセスするためのアクセス情報を、当該アクセス情報を提示すべき少なくとも１つの主体に、当該主体と対応付けて発行するステップと、
前記主体と対応付けられた前記アクセス情報を介して、前記採用チャンネルにアクセスするアクセス要求を求職者から受け付けて、前記採用チャンネルを前記求職者と接続するステップと、
前記採用チャンネルを介し、前記求職者からの応募を受け付けるステップと、
前記求職者が前記求人企業に採用された場合、前記主体に対して報酬を付与するステップと、を実行し、
前記アクセス情報を発行するステップにおいて、前記求人情報に基づいて前記希望する人材が訪れる可能性が高い地域を推定し、当該地域に関する情報及び前記主体の位置情報に基づき、前記アクセス情報の発行先となる主体を特定するシステム。
【発明の詳細な説明】
【技術分野】
【０００１】
本開示は、方法、情報処理装置、及びシステムに関する。
【背景技術】
【０００２】
従来、求人情報の提供は、主に転職エージェントなどを通じて行われている。しかしながら、転職エージェントなどの登録者は、転職意志が比較的強い求職者に限られ、潜在的な求職者に求人情報を届けることが難しい。
【０００３】
特許文献１には、求人情報を提供する時給市場データベースにリンクするＱＲコード（登録商標）（Ｑｕｉｃｋ  Ｒｅｓｐｏｎｓｅ  Ｃｏｄｅ）を、店の壁、窓などに設けることで、不特定多数の来店客を時給市場データベースへ誘導する方法が開示されている。
【先行技術文献】
【特許文献】
【０００４】
【特許文献１】特開２００９−２０８１５号公報
【発明の概要】
【発明が解決しようとする課題】
【０００５】
しかしながら、特許文献１には、来店客が時給市場データベースにアクセスしたとしても、時給市場データベースに複数の企業の求人情報が掲載されているので、特定の求人企業のページにアクセスしない可能性がある。また、採用を希望する職種に該当する転職希望者が訪れる頻度の低い店舗にＱＲコード（登録商標）を掲示したとしても、採用活動を効率的に行うことが難しい。
【０００６】
そのため、求人企業の求人情報を求職者に効率よく届けて、求人企業の採用活動を支援することができる技術は必要とされている。
【０００７】
そこで、本開示は、求人企業の求人情報を求職者に効率よく届けて、求人企業の採用活動を支援することを目的とする。
【課題を解決するための手段】
【０００８】
本開示の一実施形態によると、プロセッサと、メモリとを備えるコンピュータにより実行される方法が提供される。方法は、求人企業が希望する人材に関する求人情報を掲載する採用チャンネルを生成するステップと、前記採用チャンネルへアクセスするためのアクセス情報を、当該アクセス情報を提示すべき少なくとも１つの主体に、当該主体と対応付けて発行するステップと、前記主体と対応付けられた前記アクセス情報を介して、前記採用チャンネルにアクセスするアクセス要求を求職者から受け付けて、前記採用チャンネルを前記求職者と接続するステップと、前記採用チャンネルを介し、前記求職者からの応募を受け付けるステップと、前記求職者が前記求人企業に採用された場合、前記主体に対して報酬を付与するステップと、を実行する。
【発明の効果】
【０００９】
本開示によれば、求人企業の求人情報を求職者に効率よく届けて、求人企業の採用活動を支援することができる。
【図面の簡単な説明】
【００１０】
【図１】第１の実施形態に係るシステム１の全体の構成を示す図である。
【図２】第１の実施形態に係るシステム１を構成する、主体が操作する端末装置１０Ａのブロック図である。
【図３】第１の実施形態に係るシステム１を構成する、求職者が操作する端末装置１０Ｂのブロック図である。
【図４】第１の実施形態に係るシステム１を構成するサーバ２０の機能的な構成を示す図である。
【図５】サーバ２０が記憶する主体情報データベース２８１のデータ構造を示す図である。
【図６】サーバ２０が記憶する求人情報データベース２８２のデータ構造を示す図である。
【図７】サーバ２０が記憶する光学式コード利用履歴データベース２８３のデータ構造を示す図である。
【図８】システム１により、求人企業の求人情報を求職者に届ける流れの一例を示すフローチャートである。
【図９】主体の端末装置１０Ａの画面例の図である。
【図１０】求職者の端末装置１０Ｂの画面例の図である。
【図１１】主体の端末装置１０Ａの画面例の図である。
【図１２】サーバ２０が記憶する来客情報データベース２８４のデータ構造を示す図である。
【図１３】第２の実施形態に係るシステム２の全体の構成を示す図である。
【図１４】第２の実施形態に係るシステム２を構成する、求人企業が操作する端末装置１０Ｃのブロック図である。
【図１５】第２の実施形態に係るシステム２を構成するサーバ２０Ｂの機能的な構成を示す図である。
【図１６】サーバ２０が記憶する求人情報データベース２８２Ｂのデータ構造を示す図である。
【図１７】システム２により、求人企業の求人情報を求職者に届ける流れの一例を示すフローチャートである。
【発明を実施するための形態】
【００１１】
以下、図面を参照しつつ、本開示の実施形態について説明する。以下の説明では、同一の部品には同一の符号を付してある。それらの名称及び機能も同じである。したがって、それらについての詳細な説明は繰り返さない。
【００１２】
＜概要＞
本開示で説明するシステムは、企業の採用活動を支援し、求人企業と、求人企業の求人情報を拡散する主体と、求職者とを繋げるためのものである。主体は、潜在的な求職者を含む求職者に求人情報を届ける者であり、例えば、飲食店、美容室、保険会社、教育機関、スポーツジム、タクシー会社などが挙げられる。システムのサーバは、求人企業により自ら管理されるものであってもよいし、求人企業以外の者により管理され、求人企業のプラットフォームとして機能するものであってもよい。
【００１３】
＜第１の実施形態＞
＜１  システム１の全体構成＞
システム１は、求人企業の求人情報を、主体を介して求職者に届けるためのシステムである。システム１は、求人企業の採用チャンネルを生成し、当該採用チャンネルにリンクするためのアクセス情報を、主体ごとに発行し、当該アクセス情報を介して、求人情報を求職者に届ける。ここでいう主体は、アクセス情報を求職者（潜在的な求職者を含む）に提示すべき者であり、例えば、来客にアクセス情報を提示する店舗又は個人が挙げられる。なお、以下の説明では、アクセス情報が、例えば、光学式コードである場合を例に説明する。
図１は、第１の実施形態に係るシステム１の全体の構成を示す図である。
【００１４】
図１に示すように、システム１は、主体が操作する端末装置１０Ａと、求職者が操作する端末装置１０Ｂと、サーバ２０とを含む。端末装置１０Ａと、端末装置１０Ｂと、サーバ２０とは、有線又は無線の通信規格を用いて、ネットワーク８０を介して相互に通信可能に接続されている。
【００１５】
端末装置１０Ａ及び端末装置１０Ｂは、移動体通信システムに対応したスマートフォン、タブレット等の携帯端末などにより実現される。この他に、端末装置１０Ａ及び端末装置１０Ｂは、例えば据え置き型のＰＣ（Ｐｅｒｓｏｎａｌ  Ｃｏｍｐｕｔｅｒ）、ラップトップＰＣであるとしてもよい。
【００１６】
図１に端末装置１０Ｂとして示すように、端末装置１０Ａ及び端末装置１０Ｂは、通信ＩＦ（Ｉｎｔｅｒｆａｃｅ）１２と、入力装置１３と、出力装置１４と、メモリ１５と、記憶部１６と、プロセッサ１９とを備える。
【００１７】
通信ＩＦ１２は、端末装置１０Ａ及び端末装置１０Ｂが外部の装置と通信するため、信号を入出力するためのインタフェースである。入力装置１３は、ユーザ（主体又は求職者）からの入力操作を受け付けるための入力装置（例えば、タッチパネル、タッチパッド、マウス等のポインティングデバイス、キーボード等）である。出力装置１４は、ユーザに対し情報を提示するための出力装置（ディスプレイ、スピーカ等）である。メモリ１５は、プログラム、および、プログラム等で処理されるデータ等を一時的に記憶するためのものであり、例えばＤＲＡＭ（Dynamic Random Access Memory）等の揮発性のメモリである。記憶部１６は、データを保存するための記憶装置であり、例えばフラッシュメモリ、ＨＤＤ（Hard Disc Drive）である。プロセッサ１９は、プログラムに記述された命令セットを実行するためのハードウェアであり、演算装置、レジスタ、周辺回路などにより構成される。
【００１８】
サーバ２０は、主体の情報、求人情報、及び光学式コードなどを管理する装置である。サーバ２０は、ネットワーク８０に接続されたコンピュータである。第１の実施形態に係るサーバ２０は、求人企業により管理され、管理者である求人企業の求人情報の掲載、光学式コードの発行、及び採用チャンネルの制御などを行う。
【００１９】
図１に示すように、サーバ２０は、通信ＩＦ２２と、入出力ＩＦ２３と、メモリ２５と、ストレージ２６と、プロセッサ２９とを備える。
【００２０】
通信ＩＦ２２は、サーバ２０が外部の装置と通信するため、信号を入出力するためのインタフェースである。入出力ＩＦ２３は、ユーザからの入力操作を受け付けるための入力装置、および、ユーザに対し情報を提示するための出力装置とのインタフェースとして機能する。メモリ２５は、プログラム、および、プログラム等で処理されるデータ等を一時的に記憶するためのものであり、例えばＤＲＡＭ（Dynamic Random Access Memory）等の揮発性のメモリである。ストレージ２６は、データを保存するための記憶装置であり、例えばフラッシュメモリ、ＨＤＤ（Hard Disc Drive）である。プロセッサ２９は、プログラムに記述された命令セットを実行するためのハードウェアであり、演算装置、レジスタ、周辺回路などにより構成される。
【００２１】
＜１．１  端末装置１０Ａの構成＞
図２は、第１の実施形態に係るシステム１を構成する、主体が操作する端末装置１０Ａのブロック図である。図２に示すように、端末装置１０Ａは、複数のアンテナ（アンテナ１１１、アンテナ１１２）と、各アンテナに対応する無線通信部（第１無線通信部１２１、第２無線通信部１２２）と、操作受付部１３０（タッチ・センシティブ・デバイス１３１およびディスプレイ１３２Ａを含む）と、音声処理部１４０と、マイク１４１と、スピーカ１４２と、位置情報センサ１５０と、カメラ１６０と、記憶部１７０Ａと、制御部１８０Ａと、を含む。端末装置１０Ａは、図２では特に図示していない機能及び構成（例えば、電力を保持するためのバッテリー、バッテリーから各回路への電力の供給を制御する電力供給回路など）も有している。図２に示すように、端末装置１０Ａに含まれる各ブロックは、バス等により電気的に接続される。
【００２２】
アンテナ１１１は、端末装置１０Ａが発する信号を電波として放射する。また、アンテナ１１１は、空間から電波を受信して受信信号を第１無線通信部１２１へ与える。
【００２３】
アンテナ１１２は、端末装置１０Ａが発する信号を電波として放射する。また、アンテナ１１２は、空間から電波を受信して受信信号を第２無線通信部１２２へ与える。
【００２４】
第１無線通信部１２１は、端末装置１０Ａが他の無線機器と通信するため、アンテナ１１１を介して信号を送受信するための変復調処理などを行う。第２無線通信部１２２は、端末装置１０Ａが他の無線機器と通信するため、アンテナ１１２を介して信号を送受信するための変復調処理などを行う。第１無線通信部１２１と第２無線通信部１２２とは、チューナー、ＲＳＳＩ（Received Signal Strength Indicator）算出回路、ＣＲＣ（Cyclic Redundancy Check）算出回路、高周波回路などを含む通信モジュールである。第１無線通信部１２１と第２無線通信部１２２とは、端末装置１０Ａが送受信する無線信号の変復調や周波数変換を行い、受信信号を制御部１８０Ａへ与える。
【００２５】
操作受付部１３０は、操作者の入力操作を受け付けるための機構を有する。具体的には、操作受付部１３０は、タッチスクリーンとして構成され、タッチ・センシティブ・デバイス１３１と、ディスプレイ１３２Ａとを含む。また、操作受付部１３０は、マウス、キーボード等を含むこととしてもよい。
【００２６】
タッチ・センシティブ・デバイス１３１は、端末装置１０Ａの操作者の入力操作を受け付ける。タッチ・センシティブ・デバイス１３１は、例えば静電容量方式のタッチパネルを用いることによって、タッチパネルに対する操作者の接触位置を検出する。タッチ・センシティブ・デバイス１３１は、タッチパネルにより検出した操作者の接触位置を示す信号を入力操作として制御部１８０Ａへ出力する。
【００２７】
ディスプレイ１３２Ａは、制御部１８０Ａの制御に応じて、画像、動画、テキストなどのデータを表示する。ディスプレイ１３２Ａは、例えばＬＣＤ（Liquid Crystal Display）や有機ＥＬ（Electro-Luminescence）ディスプレイによって実現される。
【００２８】
音声処理部１４０は、音声信号の変復調を行う。音声処理部１４０は、マイク１４１から与えられる信号を変調して、変調後の信号を制御部１８０Ａへ与える。また、音声処理部１４０は、音声信号をスピーカ１４２へ与える。音声処理部１４０は、例えば音声処理用のプロセッサによって実現される。マイク１４１は、音声入力を受け付けて、当該音声入力に対応する音声信号を音声処理部１４０へ与える。スピーカ１４２は、音声処理部１４０から与えられる音声信号を音声に変換して当該音声を端末装置１０Ａの外部へ出力する。
【００２９】
位置情報センサ１５０は、端末装置１０Ａの位置を検出するセンサであり、例えばＧＰＳ（Global Positioning System）モジュールである。ＧＰＳモジュールは、衛星測位システムで用いられる受信装置である。衛星測位システムでは、少なくとも３個または４個の衛星からの信号を受信し、受信した信号に基づいて、ＧＰＳモジュールが搭載される端末装置１０Ａの現在位置を検出する。
【００３０】
カメラ１６０は、受光素子により光を受光して、撮影画像として出力するためのデバイスである。カメラ１６０は、例えば、カメラ１６０から撮影対象までの距離を検出できる深度カメラである。
【００３１】
記憶部１７０Ａは、例えばフラッシュメモリ等により構成され、端末装置１０Ａが使用するデータおよびプログラムを記憶する。ある局面において、記憶部１７０Ａは、光学式コード情報１７１を記憶する。
【００３２】
光学式コード情報１７１は、サーバ２０により主体と対応付けて発行され、採用チャンネルへアクセスするための光学式コードに関する情報である。光学式コードは、例えば、主体に対して割り当てられた採用チャンネルにリンクするためのＵＲＬなどの情報が符号化されて生成された図形画像であり、例えば、ＱＲコード（登録商標）により構成される。
【００３３】
制御部１８０Ａは、記憶部１７０Ａに記憶されるプログラムを読み込んで、プログラムに含まれる命令を実行することにより、端末装置１０Ａの動作を制御する。制御部１８０Ａは、プログラムに従って動作することにより、入力操作受付部１８１と、送受信部１８２と、光学式コード受付部１８３と、報酬受取部１８４としての機能を発揮する。
【００３４】
入力操作受付部１８１は、タッチ・センシティブ・デバイス１３１等の入力装置に対する操作者の入力操作を受け付ける処理を行う。入力操作受付部１８１は、タッチ・センシティブ・デバイス１３１に対して操作者が指などを接触させた座標の情報に基づき、操作者の操作がフリック操作であるか、タップ操作であるか、ドラッグ（スワイプ）操作であるか等の操作の種別を判定する。
【００３５】
送受信部１８２は、端末装置１０Ａが、サーバ２０等の外部の装置と、通信プロトコルに従ってデータを送受信するための処理を行う。
【００３６】
光学式コード受付部１８３は、端末装置１０Ａが送受信部１８２を介して、サーバ２０から、端末装置１０Ａを操作する主体と対応付けられた光学式コードを受け付ける。光学式コード受付部１８３により受け付けた光学式コードは、光学式コード情報１７１として記憶部１７０Ａに格納される。
【００３７】
報酬受取部１８４は、主体と対応付けられた光学式コードを介して求職者が求人企業に採用された場合、サーバ２０から、直接的又は間接的に、報酬、又は当該報酬を受ける権利を受け取る。ここでいう報酬は主体にとって有益なものであり、例えば、現金、ポイント、仮想通貨等が挙げられる。主体は、報酬を受ける権利を用いて、報酬を受け取ることが可能である。
【００３８】
＜１．２  端末装置１０Ｂの構成＞
図３は、第１の実施形態に係るシステム１を構成する、求職者が操作する端末装置１０Ｂのブロック図である。端末装置１０Ｂは、記憶部１７０Ｂ及び制御部１８０Ｂ以外、図２に示す端末装置１０Ａと同じように構成されているので、その説明を省略する。以下、記憶部１７０Ｂ及び制御部１８０Ｂについて説明する。
【００３９】
記憶部１７０Ｂは、例えばフラッシュメモリ等により構成され、端末装置１０Ｂが使用するデータおよびプログラムを記憶する。ある局面において、記憶部１７０Ｂは、採用チャンネル操作履歴１７２を記憶する。
【００４０】
採用チャンネル操作履歴１７２は、求職者が光学式コードを介して採用チャンネルにアクセスして、採用チャンネルを操作した履歴に関する情報である。採用チャンネル操作履歴１７２は、求職者が採用チャンネルにアクセスした履歴と、採用チャンネルにより応募した履歴と、採用チャンネルにより求人企業とコミュニケーションを取った履歴と、採用チャンネルにより採用された履歴などを含む。
【００４１】
制御部１８０Ｂは、記憶部１７０Ｂに記憶されるプログラムを読み込んで、プログラムに含まれる命令を実行することにより、端末装置１０Ｂの動作を制御する。制御部１８０Ｂは、アクセス制御部１８５、採用チャンネル操作部１８６以外、図２に示す制御部１８０Ａと同じように構成されているので、その説明を省略する。以下、アクセス制御部１８５、採用チャンネル操作部１８６について説明する。
【００４２】
アクセス制御部１８５は、求職者が光学式コードを介して採用チャンネルにアクセスする操作を制御する。例えば、アクセス制御部１８５は、求職者が端末装置１０Ｂのカメラにより光学式コードを撮影することで、光学式コードに埋め込まれる採用チャンネルのＵＲＬを読み取り、採用チャンネルにアクセスするアクセス要求をサーバ２０へ送付する。
【００４３】
採用チャンネル操作部１８６は、就職者が光学式コードを介して採用チャンネルにアクセスした後、採用チャンネルに対する操作を制御する。採用チャンネル操作部１８６は、採用チャンネルをディスプレイ１３２Ｂに表示し、採用チャンネルにより、求職者が採用チャンネルに対する操作を受け付けて、操作の旨をサーバ２０へ送信する。採用チャンネルに対する操作は、例えば、求職者が採用チャンネルにより応募する操作と、採用チャンネルにより求人企業とコミュニケーションを取る操作などを含む。
【００４４】
＜１．３  サーバ２０の機能的な構成＞
図４は、第１の実施形態に係るシステム１を構成するサーバ２０の機能的な構成を示す図である。サーバ２０は、求人企業により管理されるものである。図４に示すように、サーバ２０は、通信部２０１と、記憶部２０２と、制御部２０３としての機能を発揮する。
【００４５】
通信部２０１は、サーバ２０が外部の装置と通信するための処理を行う。
【００４６】
記憶部２０２は、サーバ２０が使用するデータ及びプログラムを記憶し、主体情報データベース２８１、求人情報データベース２８２、光学式コード利用履歴データベース２８３を記憶する。
【００４７】
主体情報データベース２８１は、光学式コードを求職者（潜在的な求職者を含む）に提示する主体に関する情報を保持するためのデータベースである。詳細は後述する。
【００４８】
求人情報データベース２８２は、求人企業が希望する人材に関する求人情報を保持するためのデータベースである。詳細は後述する。
【００４９】
光学式コード利用履歴データベース２８３は、主体と対応付けられた光学式コードを介して、求職者が採用チャンネルにアクセスして、採用チャンネルを操作した履歴に関する情報を保持するためのデータベースである。詳細は後述する。
【００５０】
制御部２０３は、サーバ２０のプロセッサがプログラムに従って処理を行うことにより、各種機能ユニットとして示す機能を発揮する。
【００５１】
受信制御部２０３１は、サーバ２０が外部の装置から通信プロトコルに従って信号を受信する処理を制御する。
【００５２】
送信制御部２０３２は、サーバ２０が外部の装置に対し通信プロトコルに従って信号を送信する処理を制御する。
【００５３】
採用チャンネル生成部２０３３は、求人企業の求人情報を掲載する採用チャンネルを生成する。各主体には、例えば、当該主体を識別するための識別子が割り当てられている。採用チャンネル生成部２０３３は、例えば、識別子に関する情報に対応させた採用チャンネルを生成する。採用チャンネルは、求人企業と求職者を繋げるものであり、例えば、ウェブページ、特定のＳＮＳ（ソーシャルネットワーキングサービス）を利用したオンラインチャンネルなどが挙げられる。
【００５４】
また、採用チャンネルは、求人企業と求職者とが直接に対話可能なコミュニケーション手段を含むこととしてもよい。コミュニケーション手段は、求人企業が求職者からの問い合わせに対応するための処理を行い、例えば、ウェブブラウザを用いてウェブページ上でテキストチャットや音声チャットを行ってもよいし、特定のＳＮＳ（ソーシャルネットワーキングサービス）を利用してやり取りをしてもよい。また、コミュニケーション手段は、求人企業の担当者が求職者からの問い合わせに直接対応してもよいし、人の手を介さずに自動で対応してもよい。
【００５５】
光学式コード発行部２０３４は、求人企業の採用チャンネルへアクセスするための光学式コードを、当該光学式コードを提示すべき少なくとも１つの主体に、当該主体と対応付けて発行する。具体的に、光学式コード発行部２０３４は、例えば、主体に対して割り当てられた採用チャンネルにリンクするためのＵＲＬなどの情報を符号化し、図形画像として生成する。光学式コードは、例えば、ＱＲコード（登録商標）により構成される。サーバ２０は、識別子に関する情報に対応させた採用チャンネルにリンクするための情報を光学式コードに埋め込むことにより、光学式コードを主体と対応付けて発行する。
【００５６】
採用チャンネル制御部２０３５は、求職者の操作に応答して採用チャンネルに関する処理を制御する。具体的に、採用チャンネル制御部２０３５は、例えば、以下の処理を実施する。
・光学式コードを介する求職者からのアクセス要求に応じて、採用チャンネルを求職者と接続して、採用チャンネルを求職者に表示する処理
・求職者の応募に応じて、求職者の応募情報を受け付ける処理
・求職者のコミュニケーション要求に応じて、コミュニケーション手段を表示して、求職者からの問い合わせへの対応を表示する処理
【００５７】
報酬付与部２０３６は、光学式コードを介して求職者が求人企業に採用された場合、当該光学式コードの発行先である主体に対して、報酬を付与する処理を行う。具体的に、報酬付与部２０３６は、報酬、又は報酬を受ける権利を主体に付与する。報酬は主体にとって有益なものであり、例えば、現金、ポイント、仮想通貨等が挙げられる。報酬付与部２０３６は、採用チャンネルにより、内定に対する求職者の承諾を受け付けた場合に、又は、求人企業から、求職者が採用された旨の情報を受け付けた場合に、求職者が求人企業に採用されたと判定し、主体に報酬を付与する。主体へ報酬、又は報酬を受ける権利を与える方法は任意の方法でよい。例えば、報酬付与部２０３６は、主体が操作する端末装置１０Ａへ報酬、又は報酬を受ける権利についての情報を送信してもよい。また、報酬付与部２０３６は、主体が属する企業等の団体と関連付けられている金融機関へ、報酬、又は報酬を受ける権利についての情報を送信してもよい。
【００５８】
＜２  データ構造＞
図５は、サーバ２０が記憶する主体情報データベース２８１のデータ構造を示す図である。主体情報データベース２８１は、光学式コードを求職者（潜在的な求職者を含む）に提示する主体に関する情報を保持するためのデータベースである。図５には、主体が店舗又は個人であり、個人が店舗に所属する店員であることを例として説明する。ここでいう店舗は、所定のサービスを提供する施設であり、例えば、飲食店、美容室、保険会社、教育機関、スポーツジム、タクシー会社などが挙げられる。なお、主体は求職者（潜在的な求職者を含む）に求人情報を届けられる者であれば、これに限らず、例えば、サービスを提供する自営業主、求職者の知り合いなどであってもよい。
【００５９】
図５に示すように、主体情報データベース２８１のレコードのそれぞれは、項目「店舗情報」及び「店員情報」を含む。項目「店舗情報」は、項目「店舗ＩＤ」、「店舗名」、「属性」、「住所」、「連絡先」を含む。
【００６０】
項目「店舗ＩＤ」は、それぞれの店舗を識別する情報を記憶する。「店舗ＩＤ」は、店舗を識別するための識別子として用いられる。
【００６１】
項目「店舗名」は、それぞれの店舗の名前を示す情報を記憶する。
【００６２】
項目「属性」は、それぞれの店舗が提供するサービスの種類を示す情報を記憶する。属性としては、飲食店、美容室、保険会社、教育機関、スポーツジム、タクシー会社などが挙げられる。
【００６３】
項目「住所」は、それぞれの店舗の位置情報を示す情報を記憶する。
【００６４】
項目「連絡先」は、それぞれの店舗と連絡を取るための手段を示す情報を記憶する。店舗と対応付けて発行された光学式コードは、連絡先に示す連絡手段により店舗に送付される。
【００６５】
項目「店員情報」は、項目「個人ＩＤ」、「氏名」、「連絡先」を含む。
【００６６】
項目「個人ＩＤ」は、店舗に所属するそれぞれの店員を識別する情報を記憶する。「個人ＩＤ」は、店員を識別するための識別子として用いられる。
【００６７】
項目「氏名」は、それぞれの店員の名前を示す情報を記憶する。
【００６８】
項目「連絡先」は、それぞれの店員と連絡を取るための手段を示す情報を記憶する。主体と対応付けられた光学式コードは、連絡先に示す連絡手段により主体に送付される。店員と対応付けて発行された光学式コードは、連絡先に示す連絡手段により店員に送付される。
【００６９】
図６は、サーバ２０が記憶する求人情報データベース２８２のデータ構造を示す図である。求人情報データベース２８２は、求人企業が希望する人材に関する求人情報を保持するためのデータベースである。求人情報は、サーバ２０を管理する求人企業より取得した情報である。
【００７０】
図６に示すように、求人情報データベース２８２のレコードのそれぞれは、項目「職種ＩＤ」、項目「職種」、項目「想定年収」、項目「勤務地」、項目「その他」を含む。
【００７１】
項目「職種ＩＤ」は、求人企業が採用中の職種を識別する情報を記憶する。
【００７２】
項目「職種」は、それぞれの職種の名称を示す情報を記憶する。
【００７３】
項目「想定年収」は、それぞれの職種について設定した年収の目安を示す情報を記憶する。
【００７４】
項目「勤務地」は、それぞれの職種の勤務先の地域を示す情報を記憶する。
【００７５】
項目「その他」は、求人企業が希望する人材に関する他の情報を示す情報であり、例えば、業務内容についての説明、必要となる学歴及び資格、希望する経験年数などが挙げられる。
【００７６】
図７は、サーバ２０が記憶する光学式コード利用履歴データベース２８３のデータ構造を示す図である。光学式コード利用履歴データベース２８３は、主体と対応付けられた光学式コードを介して、求職者が採用チャンネルにアクセスして、採用チャンネルを操作した履歴に関する情報を保持するためのデータベースである。
【００７７】
図７に示すように、光学式コード利用履歴データベース２８３のレコードのそれぞれは、項目「光学式コードＩＤ」、項目「店舗ＩＤ又は個人ＩＤ」、項目「アクセス実績」、項目「応募実績」、項目「採用実績」を含む。
【００７８】
項目「光学式コードＩＤ」は、サーバ２０が発行した光学式コードを識別するための情報を記憶する。サーバ２０は、主体と対応付けて光学式コードを発行する際に、当該光学式コードに「光学式コードＩＤ」を割り当てる。
【００７９】
項目「店舗ＩＤ又は個人ＩＤ」は、各光学式コードの発行先となる店舗又は個人（店員）を識別するための情報を記憶する。店舗ＩＤ又は個人ＩＤは、他のデータベース間において情報を紐づけるためのキーとして利用され、光学式コードと、当該光学式コードの発行先である主体とを関連付ける。
【００８０】
項目「アクセス実績」は、主体と対応付けられた光学式コードを介して、求職者が採用チャンネルにアクセスした履歴に関する情報を記憶する。アクセス実績は、各光学式コードを介して採用チャンネルへアクセスした回数に関する情報、アクセスした求職者の個人情報などを含む。
【００８１】
項目「応募実績」は、主体と対応付けられた光学式コードを介して、求職者が採用チャンネルにより応募した履歴に関する情報を記憶する。応募実績は、各光学式コードを介して応募した求職者の人数に関する情報、応募した求職者の個人情報などを含む。
【００８２】
項目「採用実績」は、主体と対応付けられた光学式コードを介して、求職者が採用チャンネルにより採用された履歴に関する情報を記憶する。採用実績は、各光学式コードを介して採用された求職者の人数に関する情報、採用された求職者の個人情報などを含む。
【００８３】
なお、光学式コード利用履歴データベース２８３で記憶される情報は、図７に示されるものに限定されない。光学式コード利用履歴データベース２８３には、主体と対応付けられた光学式コードを介して、求職者が採用チャンネルにアクセスしたログ、応募したログ、採用されたログが記憶されてもよい。
【００８４】
＜３  動作＞
以下、図８を参照しながら、求人企業の求人情報を求職者に効率よく届けて、求人企業の採用活動を支援する処理について説明する。
【００８５】
図８は、システム１により、求人企業の求人情報を求職者に届ける流れの一例を説明するための図である。
【００８６】
ステップＳ８２１において、サーバ２０の採用チャンネル生成部２０３３は、求人企業が希望する人材に関する求人情報を掲載する採用チャンネルを生成する。具体的には、例えば、サーバ２０は、求人企業により管理される。採用チャンネル生成部２０３３は、求人企業の求人情報を用いて、当該求人情報を掲載する採用チャンネルを生成する。各主体には、例えば、当該主体を識別するための識別子が割り当てられている。採用チャンネル生成部２０３３は、例えば、識別子に関する情報に対応させた採用チャンネルを生成する。採用チャンネルは、求人企業と前記求職者とが直接に対話可能なコミュニケーション手段を含む。
【００８７】
より具体的には、採用チャンネル生成部２０３３は、採用チャンネルにおいて、求人情報として、求人企業が採用中の職種、想定年収、勤務地、業務内容などに関する情報を掲載する。採用チャンネルは、例えば、ウェブページ、又は、特定のＳＮＳ（ソーシャルネットワーキングサービス）を利用したオンラインチャンネルなどである。
【００８８】
ステップＳ８２２において、サーバ２０の光学式コード発行部２０３４は、採用チャンネルへアクセスするための光学式コードを、当該光学式コードを提示すべき少なくとも１つの主体に、当該主体と対応付けて発行する。
【００８９】
具体的に、サーバ２０の光学式コード発行部２０３４は、例えば、主体に対して割り当てられた採用チャンネルにリンクするためのＵＲＬなどの情報を符号化し、図形画像として生成する。光学式コードは、例えば、ＱＲコード（登録商標）により構成される。サーバ２０は、識別子に関する情報に対応させた採用チャンネルにリンクするための情報を光学式コードに埋め込むことにより、光学式コードを主体と対応付けて発行する。
【００９０】
主体は、求職者に光学式コードを提示すべき者であり、潜在的な求職者を含む求職者に求人情報を届けられると思われるものである。主体としては、例えば、来客に光学式コードを提示する店舗又は個人が挙げられる。この場合、求職者は、サービスを利用するため客として訪れる来客に含まれる。サーバ２０の光学式コード発行部２０３４は、１つの主体のみに、当該主体と対応付けている光学式コードを発行してもよいし、複数の主体に、それぞれの主体と対応付けている光学式コードを発行してもよい。
【００９１】
例えば、サーバ２０は、店舗に対して割り当てた採用チャンネルへアクセスするための情報を含めた光学式コードを、店舗に発行する。また、サーバ２０は、個人に対して割り当てた採用チャンネルへアクセスするための情報を含めた光学式コードを、個人に発行する。
【００９２】
ステップＳ８１１において、主体の端末装置１０Ａの光学式コード受付部１８３は、サーバ２０から、当該主体と対応付けられた光学式コードを受け付けて、求職者に提示する。
【００９３】
端末装置１０Ａが光学式コードを求職者へ提示する手法は、任意である。例えば、光学式コード受付部１８３は、主体が光学式コードを受け付けた後、光学式コードを印刷して紙、ガラス及びガラスなどの媒体に付すことで求職者に提示してもよい。また、光学式コード受付部１８３は、表示装置上に表示することで求職者に提示してもよい。例えば、主体は店舗である場合に、光学式コード受付部１８３は、光学式コードを紙媒体に印刷する。光学式コードが印刷された紙媒体は、店舗内に置かれることで、潜在的な求職者を含む来客に光学式コードが提示される。
【００９４】
ステップＳ８３１において、求職者の端末装置１０Ｂのアクセス制御部１８５は、光学式コードを介して、採用チャンネルにアクセスする。
【００９５】
具体的に、求職者の端末装置１０Ｂは、カメラにより光学式コードを撮影することで、光学式コードに埋め込まれる採用チャンネルのＵＲＬを読み取り、採用チャンネルにアクセスするアクセス要求をサーバ２０へ送付する。
【００９６】
ステップＳ８２３において、サーバ２０の採用チャンネル制御部２０３５は、求職者から、主体と対応付けられた光学式コードを介して、採用チャンネルにアクセスするアクセス要求を受け付ける。採用チャンネル制御部２０３５は、採用チャンネルを求職者と接続する。
【００９７】
採用チャンネル制御部２０３５は、光学式コードを介して就職者のアクセス要求を受け付けた際、光学式コードに埋め込まれる主体の識別子に関する情報を読み取り、光学式コードの発行先である主体を識別する。
【００９８】
ステップＳ８２４において、採用チャンネル制御部２０３５は、採用チャンネルを介し、求職者からの応募を受け付ける。
【００９９】
具体的に、採用チャンネル制御部２０３５は、求職者が応募した職種に関する情報、及び求職者の個人情報などを受け付けて、求人企業に通知する。また、採用チャンネル制御部２０３５は、求職者のコミュニケーション要求に応じて、コミュニケーション手段を表示する。コミュニケーション手段は、求人企業が求職者からの問い合わせに対応するための処理を行う。当該処理は、例えば、ウェブブラウザを用いてウェブページ上で実施されるテキストチャットや音声チャットであってもよいし、特定のＳＮＳを利用して実施される連絡の送受信であってもよい。また、コミュニケーション手段は、求人企業の担当者が求職者からの問い合わせに直接対応してもよいし、人の手を介さずに自動で対応してもよい。
【０１００】
ステップＳ８２５において、サーバ２０の報酬付与部２０３６は、求職者が求人企業に採用された場合、求職者が利用した光学式コードの発行先である主体に対して報酬を付与する。
【０１０１】
具体的に、報酬付与部２０３６は、報酬、又は報酬を受ける権利を主体に付与する。報酬は主体にとって有益なものであり、例えば、現金、ポイント、仮想通貨等が挙げられる。報酬付与部２０３６は、採用チャンネルにより、内定に対する求職者の承諾を受け付けた場合に、又は、求人企業から、求職者が採用された旨の情報を受け付けた場合に、求職者が求人企業に採用されたと判定し、主体に報酬を付与する。
【０１０２】
また、サーバ２０は、求職者が光学式コードを介して採用チャンネルを利用した履歴を集計し、コードの発行先である主体に通知してもよい。具体的に、サーバ２０は、光学式コードを介して採用チャンネルにアクセスした履歴、応募した履歴、及び採用された履歴などを主体に通知する。サーバ２０は、採用チャンネルへのアクセス、応募、及び採用がなされた都度、主体に通知してよいし、所定の期間において、当該期間内におけるアクセス回数、応募人数、採用人数を主体に通知してもよい。
【０１０３】
ステップＳ８１２において、主体の端末装置１０Ａの報酬受取部１８４は、サーバ２０から、報酬を受け取る。
【０１０４】
具体的に、報酬受取部１８４は、主体と対応付けられた光学式コードを介して求職者が求人企業に採用された場合、サーバ２０から、報酬、又は当該報酬を受ける権利を受け取る。主体は、報酬を受ける権利を用いて、報酬を受け取ることが可能である。
【０１０５】
また、サーバ２０は、光学式コードを介して求職者が求人企業に採用された場合、当該求職者に有利な特典を付与することとしてもよい。ここでいう特典は、求職者が直接に利用できるもの（現金、ポイント、仮想通貨等）であってよいし、求職者の信用度の向上に有益なものであってもよい。例えば、システム１により求職者が採用された場合に、求職者の信用度は向上し、外部のサービスを利用して保険に加入する際、又はローンを組む際に有利になる。
【０１０６】
また、ステップＳ８２５において、報酬付与部２０３６は、報酬、又は報酬を受ける権利を、主体が属する団体と関連付けられている金融機関へ、主体を識別可能に付与してもよい。報酬、又は報酬を受ける権利は、団体における報酬制度に則って、識別される主体へ付与される。
【０１０７】
上記一連の処理により、システム１は、求人企業の求人情報を、求人企業専用の採用チャンネルに掲載し、当該採用チャンネルにアクセス可能な光学式コードを、主体と対応付けて主体に発行し、光学式コードを介して、求職者を採用チャンネルに誘導するようにしている。そのため、求人企業の求人情報を求職者に効率よく届けて、求人企業の採用活動を支援することができる。
【０１０８】
また、求職者が採用される場合に、光学式コードと対応付けられた主体に報酬を付与することで、主体が光学式コードを提示するモチベーションを向上させ、求人情報を求職者にさらに効率よく届けるとこができる。
【０１０９】
また、サービスを提供する店舗又は個人を主体とし、店舗又は個人に光学式コードを発行することにより、店舗又は個人の来客、即ち潜在的な求職者を含む人を採用チャンネルに誘導することができる。そのため、潜在的な求職者に求人企業の求人情報を効率よく届けることができる。
【０１１０】
＜４  画面例＞
図９、１１は、主体の端末装置１０Ａの画面例の図であり、図１０は、求職者の端末装置１０Ｂの画面例の図である。
【０１１１】
図９は、主体の端末装置１０Ａが、サーバ２０から光学式コードを受け付けた局面を示す図である。図９に示すように、主体の端末装置１０Ａのディスプレイ１３２Ａにおいて、求人企業の求人情報である旨を通知する領域１３２１と、ＱＲコード（登録商標）により構成される光学式コードを表示する領域１３２２とが表示されている。また、端末装置１０Ａは、求人企業の求人情報に基づき、求人企業に関する情報、及び、求人企業に適した人材に関する情報を求職者に提示してもよい。例えば、求人企業がシステムエンジニアを採用している場合、端末装置１０Ａは、ディスプレイ１３２Ａに、光学式コードに加え、システムエンジニアを募集していることを表示させる。なお、端末装置１０Ａは、当該光学式コードを介して採用が決定した場合、求職者に特典がある旨を求職者に提示してもよい。
【０１１２】
これにより、サーバ２０は、端末装置１０Ａを介し、主体と対応付けられた光学式コードを求職者に提示することができる。また、サーバ２０は、求人企業に適した人材に求人情報を効率よく届けることができる。
【０１１３】
図１０は、求職者の端末装置１０Ｂが、採用チャンネルにアクセスした局面を示す図である。図１０に示すように、端末装置１０Ｂのディスプレイ１３２Ｂにおいて、採用チャンネルが表示されている。採用チャンネルは、求人企業専用の採用チャンネルであり、求人情報を確認するためのフィールドオブジェクト１３２３と、応募するためのフィールドオブジェクト１３２４と、求人企業とコミュニケーションを取るためのフィールドオブジェクト１３２５とが表示されている。ユーザによりフィールドオブジェクト１３２３が押下されると、例えば、求人情報についての詳細情報がサーバ２０から送信され、受信した詳細情報がディスプレイ１３２Ｂに表示される。ユーザによりフィールドオブジェクト１３２４が押下されると、例えば、応募フォームがサーバ２０から送信され、受信した応募フォームがディスプレイ１３２Ｂに表示される。ユーザによりフィールドオブジェクト１３２５が押下されると、例えば、コミュニケーション手段としてのＳＮＳチャンネルが開通され、連絡画面がディスプレイ１３２Ｂに表示される。
【０１１４】
これにより、サーバ２０は、端末装置１０Ａを介して採用チャンネルを求職者に表示し、採用チャンネルから求職者の応募及び問い合わせを受け付けることで、採用活動をスムーズに進めることができる。
【０１１５】
図１１は、主体の端末装置１０Ａが、サーバ２０から報酬を受け取った局面を示す図である。図１１に示すように、主体の端末装置１０Ａのディスプレイ１３２Ａにおいて、主体と対応付けられた光学式コードを介して、求職者が採用されたため、主体に報酬を付与する旨を通知する領域１３２６と、報酬を受け取るための操作部１３２７とが表示されている。なお、当該通知は、報酬付与部２０３６から主体が属する団体へ送信され、団体を介して端末装置１０Ａへ提示されてもよい。
【０１１６】
これにより、サーバ２０は、主体が光学式コードを提示するモチベーションを向上させ、求人情報を求職者に効率よく届けるとこができる。
【０１１７】
＜変形例１＞
以下、主体である店舗又は個人の来客に関する情報に基づき、求人企業に適した来客を特定する変形例について説明する。
【０１１８】
サーバ２０は、主体である店舗又は個人から、店舗又は個人の来客の個人情報を取得し、来客情報データベース２８４として記憶部２０２に記憶する。
【０１１９】
図１２は、来客情報データベース２８４のデータ構造を示す図である。図１２に示すように、来客情報データベース２８４のレコードのそれぞれは、項目「来客ＩＤ」、「店舗ＩＤ又は個人ＩＤ」、「氏名」、「年齢」、「性別」、「職業」、「年収」を含む。
【０１２０】
項目「来客ＩＤ」は、それぞれの来客を識別する情報である。
【０１２１】
項目「店舗ＩＤ又は個人ＩＤ」は、それぞれの来客にサービスを提供する店舗又は個人を識別する情報である。店舗ＩＤ又は個人ＩＤは、他のデータベース間において情報を紐づけるためのキーとして利用され、来客と、店舗又は個人とを関連付ける。
【０１２２】
項目「氏名」、「年齢」及び「性別」は、それぞれの来客の名前、年齢及び性別を示す情報である。
【０１２３】
項目「職業」及び「年収」は、それぞれの来客の現在の職業及び年収を示す情報である。
【０１２４】
サーバ２０は、求人企業の求人情報及び来客の個人情報に基づき、光学式コードの提示対象となる来客を特定し、当該来客が訪ねる店舗又は個人に、光学式コードを発行する。具体的に、サーバ２０は、求人企業の求人情報及び来客の個人情報に基づき、求人企業に適した来客を推測して、当該来客が訪ねる店舗又は個人に、光学式コードを発行する。例えば、求人企業がシステムエンジニアを採用している場合、サーバ２０は、現在の職業がシステムエンジニアである来客を特定し、当該来客が訪ねる店舗又は個人に、光学式コードを発行するとともに、当該来客に光学式コードを提示すべき旨を通知する。
【０１２５】
来客の個人情報は、事前に登録された来客の情報に基づき取得してよいし、来客に配布したアンケートに基づき取得してよい。例えば、店舗は既に把握している来客の情報をサーバ２０に送付し、又は、店舗は来客にアンケートを配布して来客の個人情報を取得してから、サーバ２０へ送付する。
【０１２６】
また、サーバ２０は、求人企業に応募した求職者の情報に基づき、光学式コードの提示対象となる来客を特定し、主体に通知する。具体的に、サーバ２０は、光学式コードを介して応募した求職者の情報と、来客の個人情報とを照合し、既に応募した来客を特定し、当該来客の情報を、当該来客が訪ねる店舗又は個人に通知する。また、サーバ２０は、店舗又は個人に、当該来客に光学式コードを提示すべきではない旨を通知してもよい。
【０１２７】
これにより、サーバ２０は、来客の個人情報に基づき、求人企業に適した来客を特定し、当該来客に光学式コードを提示することが可能となる。これにより、主体は、採用チャンネルに求職者を効率的に誘導することができる。また、サーバ２０は、既に応募した来客に再び光学式コードを提示することを避けることが可能となる。このため、サーバ２０は、何度も勧誘して来客を不快にさせることを避けるとともに、求人情報を届ける効率を向上させることができる。
【０１２８】
＜変形例２＞
以下、主体の候補が複数ある場合、サーバ２０は、光学式コードの発行先となる主体を特定する変形例について説明する。
【０１２９】
サーバ２０は、主体と対応付けられた光学式コードの利用実績に関する情報を取得し、利用実績に関する情報に基づき、光学式コードの発行先となる主体を特定する。光学式コードの利用実績は、光学式コードを介して採用チャンネルにアクセスしたアクセス回数、求人企業に応募した応募人数、又は求人企業に採用された採用人数の少なくとも１つに関する情報を含む。
【０１３０】
具体的に、サーバ２０は、過去に主体に発行した光学式コードの利用履歴を集計し、比較的によく利用されている光学式コードを特定し、当該光学式コードに対応付けられた主体を、今後の発行先として特定する。例えば、所定の主体に発行した光学式コードを介して採用チャンネルにアクセスしたアクセス回数、応募人数、採用人数のいずれかが、所定の閾値を超える場合、当該主体に対して優先的に光学式コードを発行する。一方、例えば、所定の主体に発行した光学式コードを介して採用チャンネルにアクセスしたアクセス回数、応募人数、採用人数のいずれかが、所定の閾値以下になる場合、今後、当該主体への光学式コードの発行を抑えるようにする。なお、アクセス回数、応募人数、採用人数の基準値は、閾値に限定されない。主体毎の順位等、他の指標が用いられても構わない。
【０１３１】
これにより、サーバ２０は、光学式コードの利用履歴に基づいて各主体の実績を把握し、誘導実績の良い主体に光学式コードを発行することで、求人情報を求職者に効率よく届けることができる。
【０１３２】
また、サーバ２０は、求人情報及び主体の属性情報に基づき、光学式コードの発行先となる主体を特定してもよい。具体的には、サーバ２０は、求人情報と主体の属性情報とを比較して分析し、求人情報に適した人材が訪ねる可能性の高い主体を推定する。サーバ２０は、推定した主体を、光学式コードの発行先として特定する。
【０１３３】
例えば、求人企業がシステムエンジニアを採用している場合、サーバ２０は、プログラミングスクールを、求人情報に適した人材が訪ねる可能性の高い主体と推定し、光学式コードの発行先として特定する。
このとき、サーバ２０は、機械学習された機械学習モデルを用いて主体を推定してもよい。
【０１３４】
また、サーバ２０は、求人情報及び主体の位置情報に基づき、光学式コードの発行先となる主体を特定してもよい。具体的には、サーバ２０は、求人情報と主体の位置情報とを比較して分析し、求人情報に適した人材が訪ねる可能性の高い主体を推定する。サーバ２０は、推定した主体を、光学式コードの発行先として特定する。
【０１３５】
例えば、求人情報における勤務地が東京都である場合、サーバ２０は、東京都にある所定の店舗を、求人情報に適した人材が訪ねる可能性の高い主体と推定し、光学式コードの発行先として特定する。
【０１３６】
また、サーバ２０は、求人情報に基づいて、希望する人材が訪れる可能性が高い地域を推定してもよい。そして、サーバ２０は、当該地域に関する情報と、主体の位置情報とに基づき、光学式コードの発行先となる主体を特定する。具体的には、サーバ２０は、希望する人材が訪れる可能性が高い地域を、希望する人材との関連度が高い企業、研究所又は教育機関の位置情報に基づき推定する。そして、サーバ２０は、推定した地域の近傍に位置する店舗、又は推定した地域周辺に存在する個人を光学式コードの発行先として特定する。例えば、求人企業がシステムエンジニアを採用している場合、サーバ２０は、ＩＴ企業の研究所の数が多い地域を、システムエンジニアが訪れる可能性が高い地域と推定する。そして、サーバ２０は、推定した地域近傍の駅周辺に位置する店舗、又は推定した地域周辺で所定のサービスを営む個人を光学式コードの発行先として特定する。
【０１３７】
なお、このことは、サーバ２０が、企業、研究所又は教育機関と主体との位置関係に基づき、光学式コードの発行先となる主体を特定する、と換言しても構わない。
【０１３８】
これにより、サーバ２０は、求人企業が希望する人材が訪れる可能性が高い主体を推定し、当該主体に光学式コードを発行することで、求人情報を求職者に効率よく届けることができる。
【０１３９】
＜第２の実施形態＞
＜１  システム２の全体構成＞
システム２は、複数の求人企業の求人情報を受け付けて、主体を介して求人情報を求職者に届けるためのシステムである。第１の実施形態に係るシステム１では、求人企業がサーバ２０を管理する場合を説明したが、第２の実施形態に係るシステム２では、求人企業以外の者がサーバ２０を管理する場合を説明する。
【０１４０】
システム２は、少なくとも１社の求人企業から求人情報を受け付けて、各求人企業専用の採用チャンネルを生成する。システム２は、各採用チャンネルにリンクする光学式コードを、主体ごとに発行する。そして、システム２は、当該光学式コードを介して提供される採用チャンネルにより、求人情報を求職者に届ける。つまり、第２の実施形態において、システム２は、求人企業のプラットフォームとして機能する。図１３は、第２の実施形態に係るシステム２の全体の構成を示す図である。
【０１４１】
図１３に示すように、システム２は、主体が操作する端末装置１０Ａと、求職者が操作する端末装置１０Ｂと、サーバ２０Ｂと、求人企業が操作する端末装置１０Ｃとを含む。端末装置１０Ａと、端末装置１０Ｂと、端末装置１０Ｃと、サーバ２０Ｂとは、有線又は無線の通信規格を用いて、ネットワーク８０を介して相互に通信可能に接続されている。システム２は、端末装置１０Ｃ及びサーバ２０Ｂ以外、第１の実施形態と同じように構成されているので、その説明を省略する。以下、端末装置１０Ｃ及びサーバ２０Ｂについて説明する。
【０１４２】
＜１．１  端末装置１０Ｃの構成＞
図１４は、第２の実施形態に係るシステム２を構成する、求人企業が操作する端末装置１０Ｃのブロック図である。端末装置１０Ｃは、記憶部１７０Ｃ及び制御部１８０Ｃ以外、第１の実施形態に係る端末装置１０Ａ、端末装置１０Ｂと同じように構成されているので、その説明を省略する。以下、記憶部１７０Ｃ及び制御部１８０Ｃについて説明する。
【０１４３】
記憶部１７０Ｃは、例えばフラッシュメモリ等により構成され、端末装置１０Ｃが使用するデータおよびプログラムを記憶する。ある局面において、記憶部１７０Ｃは、求人情報１７３を記憶する。
【０１４４】
求人情報１７３は、求人企業が希望する人材に関する情報であり、採用中の職種、各職種の想定年収、勤務地、業務内容、必要となる学歴及び資格、希望する経験年数などに関する情報を含む。
【０１４５】
制御部１８０Ｃは、記憶部１７０Ｃに記憶されるプログラムを読み込んで、プログラムに含まれる命令を実行することにより、端末装置１０Ｃの動作を制御する。制御部１８０Ｃは、求人情報送付部１８７、求職者対応操作部１８８以外、図２に示す制御部１８０Ａと同じように構成されているので、その説明を省略する。以下、求人情報送付部１８７、求職者対応操作部１８８について説明する。
【０１４６】
求人情報送付部１８７は、送受信部１８２を介して、企業の求人情報をサーバ２０に送付する処理を行う。
【０１４７】
求職者対応操作部１８８は、求人企業が、求職者の採用チャンネルに対する操作に応答するための操作を制御する。具体的に、求職者対応操作部１８８は、求職者の問い合わせに対応する操作、求職者の応募を受け付ける操作、及び、求職者に採用又は不採用の通知を送信する操作などを行う。
【０１４８】
＜１．２  サーバ２０Ｂの機能的な構成＞
図１５は、第２の実施形態に係るシステム２を構成するサーバ２０Ｂの機能的な構成を示す図である。サーバ２０Ｂは、求人企業以外の者により管理される。サーバ２０Ｂは、記憶部２０２Ｂ、制御部２０３Ｂ以外、第１の実施形態と同じように構成されているので、その説明を省略する。以下、記憶部２０２Ｂ、制御部２０３Ｂについて説明する。
【０１４９】
記憶部２０２Ｂは、サーバ２０が使用するデータ及びプログラムを記憶し、主体情報データベース２８１、求人情報データベース２８２Ｂ、光学式コード利用履歴データベース２８３を記憶する。
【０１５０】
主体情報データベース２８１及び光学式コード利用履歴データベース２８３は、第１の実施形態と同じように構成されているので、その説明を省略する。
【０１５１】
求人情報データベース２８２Ｂは、複数の求人企業が希望する人材に関する求人情報を保持するためのデータベースである。詳細は後述する。
【０１５２】
制御部２０３Ｂは、サーバ２０Ｂのプロセッサがプログラムに従って処理を行うことにより、各種機能ユニットとして示す機能を発揮する。制御部２０３Ｂは、採用チャンネル生成部２０３３Ｂ以外、第１の実施形態と同じように構成されているので、その説明を省略する。以下、採用チャンネル生成部２０３３Ｂについて説明する。
【０１５３】
採用チャンネル生成部２０３３Ｂは、複数の求人企業の求人情報を掲載するため、各企業専用の採用チャンネルを生成する。つまり、各採用チャンネルには、１つの求人企業のみの求人情報が掲載されている。また、採用チャンネル生成部２０３３Ｂ、第１の実施形態と同じように、求人企業と求職者とが直接に対話可能なコミュニケーション手段を生成してもよい。
【０１５４】
＜２  データ構造＞
図１６は、サーバ２０Ｂが記憶する求人情報データベース２８２Ｂのデータ構造を示す図である。求人情報データベース２８２Ｂは、項目「求人企業ＩＤ」を記憶すること以外、第１の実施形態に係る求人情報データベース２８２と同じように構成されているので、その説明を省略する。以下、項目「求人企業ＩＤ」について説明する。
【０１５５】
項目「企業ＩＤ」は、それぞれの企業を識別するための情報である。サーバ２０は、求人企業から求人情報を受け付けた場合、求人ＩＤにより、求人企業を識別し、当該求人企業専用の採用チャンネルを生成する。
【０１５６】
＜３  動作＞
以下、図１７を参照しながら、システム２により、求人企業の求人情報を求職者に届ける処理について説明する。
【０１５７】
ステップＳ１７４１において、複数の求人企業の端末装置１０Ｃは、各求人企業が希望する人材に関する求人情報をサーバ２０に送信する。求人情報は、採用中の職種、各職種の想定年収、勤務地、業務内容、必要となる学歴及び資格、希望する経験年数などに関する情報を含む。
【０１５８】
ステップＳ１７２１において、サーバ２０は、受信制御部２０３１により、複数の求人企業から求人情報を受け付ける。サーバ２０は、求人企業から求人情報を受け付けた場合、求人企業の求人ＩＤにより、求人企業を識別する。
【０１５９】
ステップＳ１７２２において、サーバ２０の採用チャンネル生成部２０３３Ｂは、各の求人企業の求人情報を掲載するため、各求人企業の前記採用チャンネルを、求人企業ごとに生成する。具体的に、サーバ２０の採用チャンネル生成部２０３３Ｂは、各企業から受け付けた求人情報に基づき、各企業専用の採用チャンネルを生成し、各採用チャンネルには、１つの求人企業のみの求人情報を掲載する。また、採用チャンネル生成部２０３３Ｂ、第１の実施形態と同じように、求人企業と求職者とが直接に対話可能なコミュニケーション手段を生成してもよい。
【０１６０】
ステップＳ１７２３において、サーバ２０の光学式コード発行部２０３４は、採用チャンネルへアクセスするための光学式コードを、当該光学式コードを提示すべき少なくとも１つの主体に、当該主体と対応付けて発行する。また、サーバ２０は、第１の実施形態の変形例２のように、複数の主体から、各求人企業の求人情報の拡散に適した主体を特定し、当該主体に光学式コードを発行してもよい。
【０１６１】
例えば、サーバ２０は、各求人企業の求人情報及び各主体の属性情報に基づき、光学式コードの発行先となる主体を特定する。具体的には、サーバ２０は、各求人企業の求人情報と、各主体の属性情報とを比較して分析し、求人情報に適した人材が訪ねる可能性の高い主体を推定する。サーバ２０は、推定した主体を、光学式コードの発行先として特定する。
【０１６２】
例えば、システムエンジニアを採用している求人企業について、サーバ２０は、プログラミングスクールを、当該求人企業に適した人材が訪ねる可能性の高い主体と推定し、光学式コードの発行先として特定する。
このとき、サーバ２０は、機械学習された機械学習モデルを用いて主体を推定してもよい。
【０１６３】
ステップＳ１７２４〜Ｓ１７２６の処理は、第１実施形態に係るステップＳ８２３〜Ｓ８２５の処理と同様であるので、その説明を省略する。なお、ステップＳ１７２４〜Ｓ１７２６において、サーバ２０は、求人企業の端末装置１０Ｃを求職者の端末装置１０Ｂに繋げる。求人企業の端末装置１０Ｃは、サーバ２０を介して、求職者の問い合わせに対応する処理、求職者の応募を受け付ける処理、及び、求職者に採用又は不採用の通知を送信する処理などを行う。
【０１６４】
ステップＳ１７１１、Ｓ１７１２、Ｓ１７３１の処理は、第１実施形態に係るステップＳ８１１、Ｓ８１２、Ｓ８３１の処理と同様であるので、その説明を省略する。
【０１６５】
第２の実施形態により、複数の求人企業の求人情報を受け付けて、各求人企業専用の採用チャンネルを生成することができるので、求職者が転職サイトにアクセスしたとしても、求人企業のページにアクセスしないことを避けることができる。そのため、第１の実施形態による効果だけではなく、複数の求人企業の採用活動を支援して、各企業の求人情報を確実に求職者に届けることができる。
【０１６６】
なお、上記実施形態では、光学式コードをアクセス情報として発行し、発行した光学式コードを求職者へ提示し、提示された光学式コードを介して求職者が採用チャンネルにアクセスする場合を例に説明した。上記実施形態は、近距離無線通信により求職者へアクセス情報を提示し、提示されたアクセス情報を介して求職者が採用チャンネルにアクセスする場合においても適用可能である。このとき、アクセス情報は、例えば、主体に割り当てられた採用チャンネルへアクセスするためのＵＲＬなどの情報である。近距離無線通信は、Ｂｌｕｅｔｏｏｔｈ（登録商標）、ＮＦＣ（Near Field Communication）等の技術により実現される。具体的には、例えば、アクセス情報は、ＮＦＣタグに読み出し可能に書き込まれ、店舗又は個人等の主体へ配布される。求職者は、ＮＦＣのリーダ機能を搭載した端末装置を、店舗に設置されているＮＦＣタグ、又は店員が所有しているＮＦＣタグにかざし、ＮＦＣに書き込まれているアクセス情報を読み取る。端末装置は、読み取ったアクセス情報をユーザに提示しつつ、アクセス情報から採用チャンネルへアクセスする。
【０１６７】
また、上記実施形態では、主体に割り当てられた採用チャンネルへアクセスするためのアクセス情報が発行される場合を例に説明した。しかしながら、上記実施形態は、第１主体に属する第２主体、すなわち、例えば、店舗に属する店員等については、固有の採用チャンネルを設けなくても構わない。例えば、サーバ２０は、店舗に属する店員に対し、所定のコード、所謂、招待コードを発行する。店員は、店舗に割り当てられた採用チャンネルへアクセスするための情報が含まれる光学式コードを所持する。来客としての求職者は、店員が所持する光学式コードを介して採用チャンネルへアクセスし、アクセスした採用チャンネルにおいて、店員に発行された招待コードを入力する。これにより、求職者がどの店員から光学式コードを勧められたかが判別可能となる。このため、第１主体に属する第２主体が存在する場合であっても、第２主体に対して採用チャンネルを割り当てなくても、個人を判別することが可能となる。
【０１６８】
これら実施形態は、その他の様々な形態で実施されることが可能であり、発明の要旨を逸脱しない範囲で種々の省略、置き換え、変更を行うことができる。これら実施形態やその変形は、発明の範囲や要旨に含まれると同様に、特許請求の範囲に記載された発明とその均等の範囲に含まれるものとする。
【０１６９】
＜付記＞
以上の各実施形態で説明した事項を以下に付記する。
【０１７０】
（付記１）プロセッサと、メモリとを備えるコンピュータにより実行される方法であって、求人企業が希望する人材に関する求人情報を掲載する採用チャンネルを生成するステップ（Ｓ８２１）と、前記採用チャンネルへアクセスするためのアクセス情報を、当該アクセス情報を提示すべき少なくとも１つの主体に、当該主体と対応付けて発行するステップ（Ｓ８２２）と、前記主体と対応付けられた前記アクセス情報を介して、前記採用チャンネルにアクセスするアクセス要求を求職者から受け付けて、前記採用チャンネルを前記求職者と接続するステップ（Ｓ８２３）と、前記採用チャンネルを介し、前記求職者からの応募を受け付けるステップ（Ｓ８２４）と、前記求職者が前記求人企業に採用された場合、前記主体に対して報酬を付与するステップ（Ｓ８２５）と、を実行する方法。
【０１７１】
（付記２）複数の求人企業から、前記求人企業が希望する人材に関する求人情報を受け付けるステップを実行し、採用チャンネルを生成するステップにおいて、受け付けた前記求人情報に基づき、各求人企業の採用チャンネルを生成する、（付記１）に記載の方法。
【０１７２】
（付記３）前記採用チャンネルは、前記求人企業と前記求職者とが直接に対話可能なコミュニケーション手段を含む、（付記１）又は（付記２）に記載の方法。
【０１７３】
（付記４）前記主体は、サービスを提供する店舗又は個人であり、前記求職者は、客として訪れる来客に含まれる、（付記１）から（付記３）のいずれかに記載の方法。
【０１７４】
（付記５）前記来客の個人情報を取得するステップを実行し、前記アクセス情報を発行するステップにおいて、前記求人情報及び前記来客の個人情報に基づき、前記アクセス情報の提示対象となる来客を特定し、当該来客が訪ねる店舗又は個人に、前記アクセス情報を発行する、（付記４）に記載の方法。
【０１７５】
（付記６）前記個人情報を取得するステップにおいて、事前に登録された前記来客の情報に基づき、前記個人情報を取得する、（付記５）に記載の方法。
【０１７６】
（付記７）前記個人情報を取得するステップにおいて、前記来客に配布したアンケートに基づき、前記個人情報を取得する、（付記５）又は（付記６）に記載の方法。
【０１７７】
（付記８）前記求人企業に応募した求職者の情報に基づき、前記アクセス情報の提示対象となる来客を特定し、前記主体に通知するステップを実行する、（付記４）から（付記７）のいずれかに記載の方法。
【０１７８】
（付記９）前記主体と対応付けられたアクセス情報の利用実績に関する情報を取得するステップを実行し、前記アクセス情報を発行するステップにおいて、前記利用実績に関する情報に基づき、前記アクセス情報の発行先となる主体を特定する、（付記１）から（付記８）のいずれかに記載の方法。
【０１７９】
（付記１０）前記利用実績は、前記主体と対応付けられたアクセス情報を介して、前記採用チャンネルにアクセスしたアクセス回数、前記求人企業に応募した応募人数、又は前記求人企業に採用された採用人数の少なくとも１つに関する情報を含む、（付記９）に記載の方法。
【０１８０】
（付記１１）前記アクセス情報を発行するステップにおいて、前記求人情報及び前記主体の属性情報に基づき、前記アクセス情報の発行先となる主体を特定する、（付記１）から（付記１０）のいずれかに記載の方法。
【０１８１】
（付記１２）前記アクセス情報を発行するステップにおいて、前記求人情報及び前記主体の位置情報に基づき、前記アクセス情報の発行先となる主体を特定する、（付記１）から（付記１１）のいずれかに記載の方法。
【０１８２】
（付記１３）前記アクセス情報を発行するステップにおいて、前記求人情報に基づいて前記希望する人材が訪れる可能性が高い地域を推定し、当該地域に関する情報及び前記主体の位置情報に基づき、前記アクセス情報の発行先となる主体を特定する、（付記１）から（付記１２）のいずれかに記載の方法。
【０１８３】
（付記１４）前記希望する人材が訪れる可能性が高い地域を、前記希望する人材との関連度が高い企業、研究所又は教育機関の位置情報に基づき推定する、（付記１３）に記載の方法。
【０１８４】
（付記１５）前記企業、研究所又は教育機関と前記主体との位置関係に基づき、前記アクセス情報の発行先となる主体を特定する、（付記１４）に記載の方法。
【０１８５】
（付記１６）前記求職者が前記求人企業に採用された場合、当該求職者に有利な特典を付与するステップを実行する、（付記１）から（付記１５）のいずれかに記載の方法。
【符号の説明】
【０１８６】
１０Ａ、１０Ｂ、１０Ｃ  端末装置、２０  サーバ、８０  ネットワーク、１２  通信ＩＦ、１３  入力装置、１４  出力装置、１５  メモリ、１６  記憶部、１９  プロセッサ、２０１  通信部、２０２  記憶部、２０３  制御部。
【要約】      （修正有）【課題】求人企業の求人情報を求職者に効率よく届けて、求人企業の採用活動を支援する方法、情報処理装置及びシステムを提供する。【解決手段】システム１は、主体が操作する端末装置１０Ａと、求職者が操作する端末装置１０Ｂと、サーバ２０とを含む。端末装置１０Ａと、端末装置１０Ｂと、サーバ２０とは、有線又は無線の通信規格を用いて、ネットワーク８０を介して相互に通信可能に接続されている。サーバ２０は、主体の情報、求人情報、及び光学式コードなどを管理する。サーバ２０は、ネットワーク８０に接続されたコンピュータである。第１の実施形態に係るサーバ２０は、求人企業により管理され、管理者である求人企業の求人情報の掲載、光学式コードの発行、及び採用チャンネルの制御などを行う。【選択図】図１【図１】
0006856912.tif 000002
【図２】
0006856912.tif 000003
【図３】
0006856912.tif 000004
【図４】
0006856912.tif 000005
【図５】
0006856912.tif 000006
【図６】
0006856912.tif 000007
【図７】
0006856912.tif 000008
【図８】
0006856912.tif 000009
【図９】
0006856912.tif 000010
【図１０】
0006856912.tif 000011
【図１１】
0006856912.tif 000012
【図１２】
0006856912.tif 000013
【図１３】
0006856912.tif 000014
【図１４】
0006856912.tif 000015
【図１５】
0006856912.tif 000016
【図１６】
0006856912.tif 000017
【図１７】
0006856912.tif 000018